(57)【要約】【課題】特に外気温が高いときに用いる、簡易な構成で、ほぼ体全体に沿って体とほぼ平行に外気を流通させることができる空気流通式寝具を提供することを目的とする。【解決手段】空気が漏れにくい素材の下シート６と、下シートと体の間に平行風流通空間４を形成するための柔軟性を有した耐圧性のある下部スペーサ５２、からなる敷き寝具と、空気が漏れにくい素材の掛けシート８と、掛けシートと体の間に平行風流通空間４を設けるための上部スペーサ５１からなる掛け寝具と、平行風流通空間に外気を流通させるためのファンとを備える。本実施形態の空気流通式寝具は、人が寝たとき体のほぼ全面に沿って体と略平行な空気を流通させることができる。これにより、就寝者の体から出た汗を蒸発させ、生理クーラーの効く範囲を拡大して、就寝者を効率よく、冷却することができる。【選択図】図３
2011245046.tif 000002
【特許請求の範囲】
【請求項１】
空気が漏れにくい素材の下シートと、前記下シートと体の間に平行風流通空間を形成するための柔軟性を有した耐圧性のある下部スペーサとを有する敷き寝具と、
空気が漏れにくい素材の掛けシートと、前記掛けシートと体の間に平行風流通空間を設けるための上部スペーサと、寝起きを容易にする為の開閉手段とを有する掛け寝具と、
を備える略四角形の寝具であって、
前記略四角形の寝具の少なくとも一の辺に対応する側の端部に設けられた、前記平行風流通空間に外気を流通させるための１又は複数個の送風手段と、
前記寝具の前記敷き寝具と前記掛け寝具の各々について、前記送風手段が設けられた辺以外の他の少なくとも一つの辺の端部に設けられた、空気が流入又は流出するための１又は複数個の空気流通部と、
前記空気流通部が設けられた端部の辺を除く、前記敷き寝具と前記掛け寝具との間の部位からの空気漏れを防止する空気漏れ防止手段と、
前記送風手段の送風量を制御するための制御部と、
を具備し、
人が寝たときに体の全面に沿って体と略平行な空気を流通させることにより、体から出た汗を蒸発させ、生理クーラーの効く範囲を拡大することを特徴とする空気流通式寝具。
【請求項２】
全体形状が略四角形であり、空気が漏れにくい素材の下シートと、前記下シートと体の間に下部平行風流通空間を形成するための柔軟性を有した耐圧性のある下部スペーサと、空気流出部とを備える敷き寝具と、
空気が漏れにくい素材の掛けシートと、寝起きを容易にする為に前記掛けシートに設けられた開閉手段と、略四角形の前記掛けシートの少なくとも一の辺に対応する側の端部であって前記敷き寝具の前記空気流出部に対応する位置に設けられた１又は複数個の空気流出部とを有し、前記空気流出部が設けられた側の辺以外の辺の端部が前記下シートの対応する端部に接合された掛け寝具と、
前記掛け寝具の、前記空気流出部が設けられた辺以外の他の少なくとも一つの辺の端部に設けられた、前記敷き寝具と前記掛け寝具の間に外気を送風するための１又は複数個の上部送風手段と、
前記上部送風手段が設けられた端部に対応する前記敷き寝具の端部に設けられた、前記下部平行風流通空間に外気を流通させるための１又は複数個の下部送風手段と、
前記下部送風手段と前記上部送風手段のうち少なくとも前記上部送風手段の送風量を制御するための制御部と、
を具備し、
前記上部送風手段により前記掛け寝具内を陽圧にすることにより人が寝たときに体と前記掛けシートの間に上部平行風流通空間を形成させ、前記上部送風手段と前記下部送風手段により体の全面に沿って体と略平行な空気を流通させることにより、体から出た汗を蒸発させ、生理クーラーの効く範囲を拡大することを特徴とする空気流通式寝具。
【請求項３】
空気が漏れにくく透湿性を有する素材の上シートと空気が漏れにくい素材の下シートとを有する敷きシートと、前記上シートと前記下シートの間に下部平行風流通空間を形成するための柔軟性を有した耐圧性のある下部スペーサと、略四角形の前記敷きシートの少なくとも一の辺に対応する側の端部に設けられた、前記下部平行風流通空間に外気を流通させるための1又は複数個の下部送風手段と、前記下部送風手段が設けられた辺以外の他の少なくとも一つの辺の端部に設けられた１又は複数個の下部空気流通部とを備える敷き寝具と、
空気が漏れにくい素材の掛けシートと、前記掛けシートと体の間に上部平行風流通空間を設けるための上部スペーサと、略四角形の前記掛けシートの少なくとも一の辺に対応する側の端部に設けられた、前記上部平行風流通空間に外気を流通させるための１又は複数個の上部送風手段と、前記上部送風手段が設けられた辺以外の他の少なくとも一つの辺の端部に設けられた１又は複数個の上部空気流通部と、寝起きを容易にする為の開閉手段とを備える掛け寝具と、
前記上部空気流通部が設けられた端部の辺を除く、前記敷き寝具と前記掛け寝具との間の部位からの空気漏れを防止する空気漏れ防止手段と、
前記下部送風手段と前記上部送風手段のうち少なくとも前記上部送風手段の送風量を制御するための制御部と、
を具備し、
人が寝たときに体の全面に沿って体と略平行な空気を流通させることにより、体から出た汗を蒸発させ生理クーラーの効く範囲を拡大することを特徴とする空気流通式寝具。
【請求項４】
空気が漏れにくい素材の掛けシートと、前記掛けシートと体の間に平行風流通空間を形成するための上部スペーサと、略四角形の前記掛けシートの少なくとも一の辺に対応する側の端部に設けられた、前記平行風流通空間から空気を排出するための１又は複数個の送風手段と、前記送風手段が設けられた辺以外の他の少なくとも一つの辺の端部に設けられた、前記平行風流通空間に空気を流入させるための１又は複数個の空気流通部と、前記空気流通部が設けられた辺を除く部位からの外気の流入を防止する為の空気漏れ防止手段と、前記送風手段の送風量を制御するための制御部とを備え、
前記空気漏れ防止手段は、掛けシートの横幅を敷き寝具の横幅より幅広にして、かつ前記送風手段は前記掛けシートと前記敷き寝具の間の空気を排出するように回転することにより前記掛けシート内を陰圧とし、前記掛けシートが陰圧になることにより前記掛けシートの側部が前記敷き寝具に密着することにより形成され、
前記送風手段によって前記空気流通部から前記平行風流通空間に外気を流入させ、人が寝たときに体の上面及び側面に沿って体と略平行に外気を流通させることにより、体から出た汗を蒸発させ、生理クーラーの効く範囲を拡大することを特徴とする空気流通式寝具。
【請求項５】
前記掛けシートに凹凸加工を施すことにより、前記掛けシートが前記上部スペーサを兼ねるようにしたことを特徴とする請求項１，３又は４記載の空気流通式寝具。
【請求項６】
前記凹凸加工として、人が寝たときの身長方向と略平行なプリーツ加工を施すことを特徴とする請求項５記載の空気流通式寝具。
【請求項７】
前記下部スペーサは、
枠状部と、一端が前記枠状部から起立するように形成された柱部、壁部又は柱部と壁部からなる起立部と、前記起立部の他端を連結する起立連結部とを有すると凸部と、
隣り合う凸部を連結する可撓性のある可撓連結部と、
を備えるものであることを特徴とする請求項１、２又は３記載の空気流通式寝具。
【請求項８】
前記制御部はタイマー、外気温検出手段又はタイマーと外気温検出手段の両方を備え、前記送風手段を前記タイマー、前記外気温検出手段の出力信号又は前記タイマーと前記外気温検出手段の出力信号の両方に基づいて制御することを特徴とする請求項１乃至４の何れか１項に記載の空気流通式寝具。
【請求項９】
前記上部スペーサとして立体織布を用いたことを特徴とする請求項１，３又は４記載の空気流通式寝具。
【請求項１０】
前記掛けシートの所定箇所に重しを取り付けることにより、前記掛け寝具を就寝者及び（又は）敷き寝具に密着させる密着手段を設けたことを特徴とする請求項１乃至４の何れか１項に記載の空気流通式寝具。
【請求項１１】
前記空気漏れ防止手段は、前記敷き寝具の人が寝たときに足が位置する側の端部と当該端部に対応する前記掛けシートの端部を接続し、また前記敷き寝具の両側端部と前記掛けシートの両側端部を接続することにより実現されるものであることを特徴とした請求項１又は３記載の空気流通式寝具。
【請求項１２】
前記下部送風手段により流通される外気の一部を前記掛け寝具内に流通させることにより、前記下部送風手段が前記上部送風手段を兼ねることを特徴とする請求項２又は３記載の空気流通式寝具。
【請求項１３】
前記掛けシートが透湿性を有することを特徴とする請求項１乃至４の何れか１項に記載の空気流通式寝具。
【請求項１４】
前記上部スペーサと体との間にメッシュ状素材を配したことを特徴とする請求項１乃至４の何れか１項に記載の空気流通式寝具。
【請求項１５】
前記上部スペーサとしてプリーツ状加工した通気性の富んだシートを用いることを特徴とする請求項１，３又は４記載の空気流通式寝具。
【請求項１６】
前記空気流出部には風圧により開閉する流出量調整手段が設けられていることを特徴とする請求項２記載の空気流通式寝具。
【発明の詳細な説明】
【技術分野】
【０００１】
本発明は、体と平行に外気を流通させることにより、外気の温度が高い場合でも汗の気化熱で体を冷却する空気流通式寝具に関する。
【背景技術】
【０００２】
人間にはもともと脳の温度調整中枢の指令により暑ければ体を冷却するために汗腺から必要量の汗が出る。汗がすぐに気化すれば体表面温度は脳の指令どおりの温度に保たれ快適である。これは生理クーラー理論と称し、この詳細は国際公開WO2005/063065号公報を参照されたし。この理論に基づいた外気温度が高いときの理想的な就寝方法（理想寝装装置）は図１１（ａ）に示すように、就寝者が太い管の中央に浮いていて、頭部側から足部側に体と平行に風が流通している状態であることが理論上からも実験的にも明白になってきた。しかしながら無重力空間でもない限りこのような状態は実現できない。なお、図１１（ａ）は理想的な寝装装置の概略斜視図、（ｂ）は理想的な寝装装置内での人体と人体に沿って流れる風をあらわす模式図、（ｃ）は人体に沿って流れる風速の分布を示す概略図である。
【０００３】
これに対し、敷き寝具と体の間に空間を設け、その空間に外気を流通させることにより敷き寝具に接する体から出た汗を蒸発させる、生理クーラー理論に基づいた空気流通式敷き寝具が本発明者本人により発明され、この技術を用いた寝具が量産され広く普及段階にある。しかしながら図１１（ｂ）に示すように体全面に沿って体と略平行な風が流通する理想的な寝具は実現できなかった。
【０００４】
先ず、扇風機などの体とほぼ直角に当たる風と、体に沿って流通する体と略平行な風の違いについて説明する。外気温度が高いとき、皮膚のごく表面の相対湿度は１００％近いが、扇風機を用いた時のように体とほぼ直角に風があたると、風が当たった部分では皮膚表面の空気層が剥ぎ取られ、皮膚表面が過剰に乾燥してしまう。これに対し図１１（ｃ）の説明図に示すように体に沿って流れる風の場合は、体のごく表面では風速が非常に小さく、体の表面の空気層を乱すことはないので皮膚表面が過剰に乾燥してしまうことはない。しかも体の表面近くに湿度の低い外気が流通することにより湿度勾配が大きくなり、汗腺から出た汗をすばやく蒸発させ体表面を冷却することができる。
【先行技術文献】
【特許文献】
【０００５】
【特許文献１】国際公開番号WO2007/122816 A1
【発明の概要】
【発明が解決しようとする課題】
【０００６】
本発明は上記事情に基づいてなされたものであり、特に外気温が高いときに用いる、簡易な構成で、ほぼ体全体に沿って体とほぼ平行に外気を流通させることができる空気流通式寝具を提供することを目的とするものである。
【課題を解決するための手段】
【０００７】
上記の目的を達成するための第１の発明に係る空気流通式寝具は、空気が漏れにくい素材の下シートと、下シートと体の間に平行風流通空間を形成するための柔軟性を有した耐圧性のある下部スペーサとを有する敷き寝具と、空気が漏れにくい素材の掛けシートと、掛けシートと体の間に平行風流通空間を設けるための上部スペーサと、寝起きを容易にする為の開閉手段とを有する掛け寝具と、を備える略四角形の寝具であって、略四角形の寝具の少なくとも一の辺に対応する側の端部に設けられた、平行風流通空間に外気を流通させるための１又は複数個の送風手段と、寝具の敷き寝具と掛け寝具の各々について、送風手段が設けられた辺以外の他の少なくとも一つの辺の端部に設けられた、空気が流入又は流出するための１又は複数個の空気流通部と、空気流通部が設けられた端部の辺を除く、敷き寝具と前記掛け寝具との間の部位からの空気漏れを防止する空気漏れ防止手段と、送風手段の送風量を制御するための制御部と、を具備し、人が寝たときに体の全面に沿って体と略平行な空気を流通させることにより、体から出た汗を蒸発させ、生理クーラーの効く範囲を拡大するものである。
【０００８】
上記の目的を達成するための第２の発明に係る空気流通式寝具は、全体形状が略四角形であり、空気が漏れにくい素材の下シートと、下シートと体の間に下部平行風流通空間を形成するための柔軟性を有した耐圧性のある下部スペーサと、空気流出部とを備える敷き寝具と、空気が漏れにくい素材の掛けシートと、寝起きを容易にする為に掛けシートに設けられた開閉手段と、略四角形の掛けシートの少なくとも一の辺に対応する側の端部であって敷き寝具の空気流出部に対応する位置に設けられた１又は複数個の空気流出部とを有し、空気流出部が設けられた側の辺以外の辺の端部が下シートの対応する端部に接合された掛け寝具と、掛け寝具の、空気流出部が設けられた辺以外の他の少なくとも一つの辺の端部に設けられた、前記敷き寝具と前記掛け寝具の間に外気を送風するための１又は複数個の上部送風手段と、上部送風手段が設けられた端部に対応する敷き寝具の端部に設けられた、下部平行風流通空間に外気を流通させるための１又は複数個の下部送風手段と、下部送風手段と上部送風手段のうち少なくとも上部送風手段の送風量を制御するための制御部と、を具備し、上部送風手段により掛け寝具内を陽圧にすることにより人が寝たときに体と掛けシートの間に上部平行風流通空間を形成させ、上部送風手段と下部送風手段により体の全面に沿って体と略平行な空気を流通させることにより、体から出た汗を蒸発させ、生理クーラーの効く範囲を拡大するものである。
【０００９】
上記の目的を達成するための第３の発明に係る空気流通式寝具は、空気が漏れにくく透湿性を有する素材の上シートと空気が漏れにくい素材の下シートとを有する敷きシートと、上シートと下シートの間に下部平行風流通空間を形成するための柔軟性を有した耐圧性のある下部スペーサと、略四角形の敷きシートの少なくとも一の辺に対応する側の端部に設けられた、下部平行風流通空間に外気を流通させるための1又は複数個の下部送風手段と、下部送風手段が設けられた辺以外の他の少なくとも一つの辺の端部に設けられた１又は複数個の下部空気流通部とを備える敷き寝具と、空気が漏れにくい素材の掛けシートと、掛けシートと体の間に上部平行風流通空間を設けるための上部スペーサと、略四角形の掛けシートの少なくとも一の辺に対応する側の端部に設けられた、上部平行風流通空間に外気を流通させるための１又は複数個の上部送風手段と、上部送風手段が設けられた辺以外の他の少なくとも一つの辺の端部に設けられた１又は複数個の上部空気流通部と、寝起きを容易にする為の開閉手段とを備える掛け寝具と、前記上部空気流通部が設けられた端部の辺を除く、敷き寝具と掛け寝具との間の部位からの空気漏れを防止する空気漏れ防止手段と、下部送風手段と前記上部送風手段のうち少なくとも上部送風手段の送風量を制御するための制御部と、を具備し、人が寝たときに体の全面に沿って体と略平行な空気を流通させることにより、体から出た汗を蒸発させ生理クーラーの効く範囲を拡大するものである。
【００１０】
上記の目的を達成するための第４の発明に係る空気流通式寝具は、空気が漏れにくい素材の掛けシートと、掛けシートと体の間に平行風流通空間を形成するための上部スペーサと、略四角形の掛けシートの少なくとも一の辺に対応する側の端部に設けられた、平行風流通空間から空気を排出するための１又は複数個の送風手段と、送風手段が設けられた辺以外の他の少なくとも一つの辺の端部に設けられた、平行風流通空間に空気を流入させるための１又は複数個の空気流通部と、空気流通部が設けられた辺を除く部位からの外気の流入を防止する為の空気漏れ防止手段と、送風手段の送風量を制御するための制御部とを備え、空気漏れ防止手段は、掛けシートの横幅を敷き寝具の横幅より幅広にして、かつ送風手段は掛けシートと敷き寝具の間の空気を排出するように回転することにより掛けシート内を陰圧とし、掛けシートが陰圧になることにより掛けシートの側部が敷き寝具に密着することにより形成され、送風手段によって空気流通部から平行風流通空間に外気を流入させ、人が寝たときに体の上面及び側面に沿って体と略平行に外気を流通させることにより、体から出た汗を蒸発させ、生理クーラーの効く範囲を拡大するものである。
【発明の効果】
【００１１】
第１の発明の空気流通式寝具によれば、敷き寝具に設けられた耐圧性のある空気抵抗の小さなスペーサと掛け寝具に設けられた空気抵抗の小さなスペーサにより構成された平行風流通空間に、送風手段により外気を流通することができ、体の全面に、体に沿って外気が流通するので、体の全面から出た汗を蒸発させ、生理クーラーの効く範囲を拡大することができ、外気温が高くても快適に寝ることのできる簡易な構成の空気流通式寝具を提供することができる。
【００１２】
第２の発明の空気流通式寝具によれば、敷き寝具に設けられた耐圧性のある空気抵抗の小さなスペーサにより形成された平行風流通空間と、空気流出部が設けられた側の辺以外の辺の端部が敷きシートの対応する端部に接合された掛け寝具内に外気を送風する事により自動的に形成される平行風流通空間とに、外気を流通することができ、体の全面に、体に沿って外気が流通するので、体の全面から出た汗を蒸発させ、生理クーラーの効く範囲を拡大することができ、外気温が高くても快適に寝ることのできる簡易な構成の空気流通式寝具を提供することができる。
【００１３】
第３の発明の空気流通式寝具によれば、敷き寝具に設けられた耐圧性のある空気抵抗の小さなスペーサと掛け寝具に設けられた空気抵抗の小さなスペーサにより構成された平行風流通空間に、送風手段により外気を流通することができ、体の全面に、体に沿って外気が流通するので、体の全面から出た汗を蒸発させ、生理クーラーの効く範囲を拡大することができ、外気温が高くても快適に寝ることのできる簡易な構成の空気流通式寝具を提供することができる。
【００１４】
第４の発明の空気流通式寝具によれば、掛け寝具に設けられた空気抵抗の小さなスペーサにより構成された平行風流通空間に、送風手段により外気を流通することができ、体の上面と側面に体に沿って外気が流通することができ、体の上面と側面から出た汗を蒸発させ、生理クーラーの効く範囲を拡大することができ、外気温が高くても快適に寝ることのできる簡易な構成の空気流通式寝具を提供することができる。
【図面の簡単な説明】
【００１５】
【図１】図１（ａ）は本発明の第一実施形態、第二実施形態及び第三実施形態で用いる下部スペーサの概略部分平面図、（ｂ）はその概略部分断面図である。
【図２】図２（ａ）は本発明の第一実施形態、第二実施形態及び第三実施形態で用いる下部スペーサの一つの凸部の概略平面図、（ｂ）はその下部スペーサの概略部分斜視図である。
【図３】図３（ａ）は本発明の第一実施形態である空気流通式寝具の概略正面図、（ｂ）はそのＡ−Ａ′矢視概略断面図、（ｃ）はそのＢ−Ｂ′矢視概略断面図である。
【図４】図４は第一実施形態の制御部の概略ブロック図である。
【図５】図５（ａ）は第一実施形態の第一変形例である空気流通式寝具の概略平面図、（ｂ）はその第二変形例である空気流通式寝具の概略平面図である。
【図６】図６（ａ）は第一実施形態の掛けシートと、立体織布を用いた上部スペーサと、メッシュ状素材の関係を表した概略部分断面図、（ｂ）は（ａ）の立体織布の代わりに通気性に富んだシートをプリーツ加工したものを使用したときの掛けシートとプリーツ加工したシートとメッシュ状素材の関係を表した概略部分断面図、（ｃ）は掛けシートそのものをプリーツ加工したときの掛けシートとメッシュ状素材の関係を表した概略部分断面図、（ｄ）はプリーツ加工した掛けシートとメッシュ状素材を縫い付けて一体化したときの掛けシートとメッシュ状素材の関係を表した概略部分断面図、（ｅ）は中央付近の高さが高く、端に行くほど高さが低くなるようにプリーツ加工を施した掛けシートとメッシュ状素材を縫い付けて一体化したときの掛けシートとメッシュ状素材の関係を表した概略部分断面図である。
【図７】図７（ａ）は本発明の第二実施形態である空気流通式寝具の概略正面図、（ｂ）はそのＣ−Ｃ′矢視概略断面図である。（ｃ）はそのＤ−Ｄ′矢視概略断面図である。
【図８】図８（ａ）は本発明の第三実施形態である空気流通式寝具の概略正面図、（ｂ）はそのＥ−Ｅ′矢視概略断面図である。
【図９】図９は第三実施形態の変形例である空気流通式寝具を説明するための足元部の概略部分断面図である。
【図１０】図１０（ａ）は本発明の第四実施形態である空気流通式寝具の概略正面図、（ｂ）はその概略側面図である。
【図１１】図１１（ａ）は理想的な寝装装置の概略斜視図、（ｂ）は理想的な寝装装置内での人体と人体に沿って流れる風をあらわす模式図、（ｃ）は人体に沿って流れる風速の分布を示す概略図である。
【図１２】図１２は就寝時からの時間と外気温と風量との関係の一例を表した図である。
【発明を実施するための最良の形態】
【００１６】
以下に、図面を参照して、本願に係る発明を実施するための最良の形態について説明する。
（第一実施形態）
まず、本発明の第一実施形態である空気流通式寝具１ａについて説明する。図１（ａ）は本発明の第一実施形態、第二実施形態及び第三実施形態で用いる下部スペーサの概略部分平面図、（ｂ）はその概略部分断面図である。図２（ａ）は本発明の第一実施形態、第二実施形態及び第三実施形態で用いる下部スペーサの一つの凸部の概略平面図、（ｂ）はその下部スペーサの概略部分斜視図である。図３（ａ）は本発明の第一実施形態である空気流通式寝具の概略正面図、（ｂ）はそのＡ−Ａ′矢視概略断面図、（ｃ）はそのＢ−Ｂ′矢視概略断面図である。図４は第一実施形態の制御部の概略ブロック図である。本実施形態の空気流通式寝具１ａは、図１乃至図４に示すように、空気流通式寝具１ａの内部に外気を流通させるためのファン１０が両端に取り付けられた送風管１９と、ファン１０の回転数を制御するための制御部１５と、制御部１５に電源を供給するための電源プラグ１５５と、敷き寝具２と、掛け寝具３とを備えている。送風管１９は、例えばプラスチック製のパイプの周側面に多数の開口部１９１が形成されたものである。この送風管１９は国際公開番号ＰＣＴ／ＪＰ２００７／０００４１２に記載されている筒状部と同じであるので、送風管の詳細についてはこれを参照されたし。
【００１７】
敷き寝具２は空気の漏れにくい素材の下シート６と、下シート６と体の間に空間を設けるための柔軟性を有する耐圧性のある下部スペーサ５２とを備えている。下部スペーサ５２は、例えば図１及び図２に示すように、枠状部５２１を有する多数の凸部５２０と、隣り合う枠状部５２１を連結する可撓連結部５２６とを備えている。凸部５２０は、枠状部５２１と、一端が枠状部５２１に連なり枠状部５２１から起立するように形成された起立部である４本の柱部５２２と、その４本の柱部５２２の他端を連結する起立連結部５２３とを有する。このように構成された、本実施形態の下部スペーサ５２は、耐圧性と柔軟性とを兼ね備え且つ空気抵抗の非常に小さなものとなっている。尚、起立部は4本の柱部で構成することに限らず壁部又は柱部と壁部により構成してもよい。このスペーサの詳細については特許公報第４０６７０３４号を参照されたし。掛け寝具３は、空気漏れの少なく透湿性を有する掛けシート８と、軽量で空気抵抗の少ない上部スペーサ５１とを備えている。上部スペーサは掛けシートの重さを支えるだけの耐圧性を有すればよいので、立体織布、特に高さ方向の糸の密度が非常に小さなものがよく、市販されているものとしてはたとえば旭化成商事株式会社のフュージョンＡＫＥ６５７１０があるが、高さ方向の糸の密度のさらに小さなものが望ましい。また上部スペーサも下部スペーサも前記のように空気抵抗が非常に小さいので上部スペーサ、下部スペーサで構成された平行風流通空間４に外気を流通させるためのファンとしては送風圧力の小さなプロペラファンを使用することができる。
【００１８】
また、本実施形態では、敷き寝具２と掛け寝具３との間から空気が漏れないように、下シート６の両側端部は掛けシートの両側端部と縫合され、また下シートの、人が寝たときに足が位置する側の端部（以下、単に下端部とも称する）は送風管１９をくるむようにして、対応する掛けシートの下端部と縫合され、これにより空気漏れ防止手段１６を形成するようにしている。人が寝たときに頭が位置する側であって掛け寝具で覆われていない敷き寝具の部分と掛け寝具の人が寝たときに頭が位置する側の端部（以下、単に上端部とも称する）は空気が流入するための空気流通部９となっている。尚、掛けシートの端部付近に孔を開けるなど他に空気流通部を付加することにより顔に直接風が当たる風量を少なくすることができる。また掛け寝具３の両側端部付近には、図３に示すように、長手方向に沿って、寝起きを容易にする為の開閉手段１８であるファスナーが取り付けられている。なお、図３では、説明の便宜上、後述するクッション材３１とメッシュ状素材３２を描いているが、これらのものは本実施形態に必須のものではなく、省略することが可能である。また、本実施形態では、クッション材３１には空気透過性の非常によいものを使用しているので、クッション材３１はあってもなくても、人が寝たときに頭が位置する側であって掛け寝具で覆われていない敷き寝具の部分は空気流通部９となる。
【００１９】
本実施形態の制御部１５は、タイマー回路１５２と、ファンを駆動するための駆動回路１５３と、温度センサー１５４とを備えている。タイマー回路１５２と駆動回路１５３は、マイクロコンピュータにより実現されている。制御部１５は、図４に示すように、温度センサー１５４により外気温を検出し、検出した外気温に基づいて駆動回路１５３によりファン１０の回転を制御して外気温に対応した量の送風を行う。図１２は就寝時からの経過時間と外気温及び風量との関係の一例を表した図である。制御部１５は、例えば就寝から２０分ぐらいは風量を上げ、その後外気温の変化に伴い風量を制御し、２５度以下では送風を停止する。また、制御部１５は、タイマー回路１５２により、所定の時間に駆動回路１５３によるファン１０の駆動を開始したり、停止したりする制御を行う。なお、本実施形態では、制御部１５が温度センサーとタイマー回路の両方を備える場合について説明したが、本発明はこれに限定されるものではなく、温度センサーとタイマー回路のどちらか一方を備えるようにしてもよい。
【００２０】
このように構成されているので、たとえば家庭用コンセントに電源プラグ１５５を接続し、制御部により、例えば空気流通式寝具内から空気を排出する方向にファンを回転させると、空気流通部９から下部スペーサと上部スペーサによって確保される平行風流通空間４に外気が流入する。
【００２１】
本実施形態の空気流通式寝具を使用するときには、まず、ファスナー１８を開いて掛け寝具を持ち上げ、敷き寝具の上に横になって、ファスナーを閉じる。次に、ファン１０を回転させることにより、頭部をのぞく体全体が平行風流通空間４の中におかれ、図１１（ａ）に示す理想寝装装置内に就寝者が浮かんでいるのと同様に、図１１（ｂ）で示すように体と略並行に体の全面に沿って外気が流れる。なお、ここで言う体とは無論就寝者の着衣も含まれる。これにより、外気の温度が高い場合でも体から出た汗をすばやく蒸発させ生理クーラーの効く範囲を拡大し、快適に就寝することができる。外気温が体表面温より低い場合、その温度差によっても体表面は冷却される。なお、生理クーラーの原理・作用については国際公開番号第ＷＯ２００５／０６３０６５号公報を参照されたし。
【００２２】
また、夏の夜は一般的に室外の温度のほうが寝室の温度より低いので、窓を開けたまま就寝することがあるが、明け方冷たい風が寝室内に入り体が冷えすぎて夏風邪をひく場合がある。本実施形態の空気流通式寝具で就寝した場合、寝室内の温度により送風量が制御され、たとえば室温が２５度以下になると送風が停止し、冷えすぎを防止することが出来る。また敷き寝具と掛け寝具は両側端で縫合されているので、寝相の悪い人でも掛け寝具が外れることはなく、さらにタオルケットのような通気性のよい一般的な夏用掛け寝具とは異なり本実施形態の掛けシートは空気流通性が小さいので冷風が寝具内に入り込むことを防止することが出来る。尚、平行風流通空間とは下部スペーサと上部スペーサによって確保される空間だけではなく、人が寝ることにより生じる、体の周りの空間もふくまれる。
【００２３】
図３（ｃ）は同図（ａ）のＢ−Ｂ′矢視概略断面図である。上部スペーサ５１は掛けシートの中央付近だけに設け両側部付近には設けていない。人が寝るのは中央付近であり、両側部付近まで上部スペーサを取り付けると、そこにも空気が流通し、結果として体に沿って流通する風量が少なくなり、効果が減少するからである。また、空気流通式寝具内から空気を引き出す方向にファンを回転させることにより、空気流通式寝具内を陰圧にしている。陰圧にすることにより体と掛けシートの間に生じる体の冷却にあまり寄与しない外気が流通する不要空間４３を小さくすることができる。図１１（ａ）で示した理想寝装装置では体に対し円筒の断面積が大きいため冷却に寄与しない部分を流通する送風量が大きくなり、大きなファンが必要で電力、騒音も大きくなってしまう。これに対して本実施形態では送風量に無駄がなく、電力、騒音も小さく抑えられる。さらに掛けシートの要所、要所に重し（密着手段１７）を取り付けることにより、不要空間４３をさらに小さくしている。不要空間が少なくなることにより体全体への平行風の分布も均一化できる。また、空気流通寝具内が陰圧なので、密着手段として重しを用いる場合では軽い布を押し下げるだけの重さでよい。
【００２４】
尚、上記の効果をあまり損ねない範囲なら寝心地を改善するなどの目的で、図３に示すように、下部スペーサの上に空気透過性の非常によいクッション材３１を取付けたり、上部スペーサと体の間に肌触りの改善などのためにメッシュ状素材３２等を配してもよい。また、メッシュ状素材３２はボタン留めなどにより掛けシートに着脱自在に取り付けてもよく、これにより取り外して洗濯することが可能となる。
【００２５】
また、上部スペーサは立体織布に限らず、たとえば人が寝たときの身長方向と略平行に通気性に富んだシートをプリーツ状に加工したものなどを用いてもよい。たとえばメッシュ状シートをプリーツ加工したものを上部スペーサとして使用すれば立体織布に比べ空気抵抗を一段と減少させることが出来る。以下に、図６を用いて上部スペーサの変形例について具体的に説明する。図６（ａ）は第一実施形態の掛けシート８と、立体織布を用いた上部スペーサ５１と、メッシュ状素材３２との関係を表す概略部分断面図である。同図（ａ）に示すものに代えて同図（ｂ）〜（ｅ）に示すものを使用してもよい。同図（ｂ）は（ａ）の立体織布の代わりに通気性に富んだシートをプリーツ加工したものを使用したときの掛けシートとプリーツ加工したシートとメッシュ状素材の関係を表した概略部分断面図である。同図（ｃ）は掛けシートそのものをプリーツ加工したときの掛けシートとメッシュ状素材の関係を表した概略部分断面図である。同図（ｃ）に示す構成ものは、プリーツ加工された掛けシートが上部スペーサの役割もはたすことになる。同図（ｄ）はプリーツ加工した掛けシートとメッシュ状素材を縫い付けて一体化したときの掛けシートとメッシュ状素材の関係を表した概略部分断面図である。同図（ｅ）は中央付近の高さが高く、端に行くほど高さが低くなるようにプリーツ加工を施した掛けシートとメッシュ状素材を縫い付けて一体化したときの掛けシートとメッシュ状素材の関係を表した概略部分断面図である。同図（ｄ）及び（ｅ）に示す構成のものは、プリーツ加工した掛けシートとメッシュ状素材を縫い付けて一体化することによりプリーツ状態が変形することを防止することができる。
【００２６】
また、掛けシートが非常に軽量な場合、ファンの回転方向を逆にして空気流通式寝具内に外気を送り込み、掛けシート内を陽圧にすることにより、平行風流通空間が自動的に形成され易くなるので、掛けシートにプリーツ状加工を施したもの、や、皺状加工を施したもの、突起状加工を施した等、シート面と略直角方向に、掛けシート自体に凹凸加工を施すことによって、掛けシートが上部スペーサを兼ねるようにしてもよい。
【００２７】
また、本実施形態では開閉手段であるファスナーは左右の側部付近に設けたが、開閉手段は寝起きを容易にする目的で設けるものであるので無論中央付近に一箇所配する等でもよい。
【００２８】
（第一変形例）
図５（ａ）は第一実施形態の第一変形例である空気流通式寝具の概略正面図である。第一変形例の空気流通式寝具１ｂが第一実施形態のものと異なるところは、第一実施形態では送風管の両端に設けたファンにより寝具の中の空気を排出し平行風流通空間に外気を流通させていたが、本変形例では寝具の下部を延長し、延長部にファン１０を取り付けることである。その他の点は、第一実施形態のものと同様であるので、第一変形例において、第一実施形態のものと同様の機能を有するものには、同一の符号又は対応する符号を付することにより、その詳細な説明を省略する。このことは、以下で述べる、変形例や実施形態でも同様である。第一変形例によれば、第一実施形態と同様の作用・効果を奏する。
【００２９】
（第二変形例）
図５（ｂ）は第一実施形態の第二変形例である空気流通式寝具の概略正面図である。第二変形例の空気流通式寝具１ｃが第一実施形態のものと異なるところは、第一実施形態では送風管の両端に設けたファンにより寝具の中の空気を排出し平行風流通空間に外気を流通させていたが、本変形例では寝具の下部にダクトを取り付け、ダクトの先に取り付けたファンボックス内にファン１０を設けた点である。この点以外は、第１実施形態ものと同様である。第二変形例によれば、第１実施形態と同様の作用・効果を奏する。
【００３０】
（第二実施形態）
図７（ａ）は本発明の第二実施形態である空気流通式寝具の概略平面図、（ｂ）はそのＣ−Ｃ′矢視概略断面図、（ｃ）はそのＤ−Ｄ′矢視概略断面図である。本実施形態の空気流通式寝具１ｄが第一実施形態のものと異なる点は、掛け寝具３には上部スペーサが設けられてない点、敷き寝具の両側端と下端部に隙間なく掛け寝具が取付けられている点、掛け寝具専用の上部ファン（上部送風手段）１０２が設けられている点、掛け寝具の上端部の両側端から長手方向に延長するように重い布が縫い付けられ流出防止手段２０が設けられている点、空気流出部には風圧により開閉する流出量調整手段９４が設けられている点、である。その他の点は第一実施形態のものと同様である。本実施形態では、上部ファン１０２が寝具内に外気を送り込むように回転し、これにより寝具内を陽圧とし、自動的に上部平行風流通空間４２が形成される。下部ファン１０も平行風流通空間４に外気を送り込むように回転する。また、本実施形態では、流出防止手段２０を設けたことにより、掛け寝具の上端部の両端近傍の空気流出部が塞がれ、人が寝たときに首周りの近傍にのみ空気流出部９３が形成される。
【００３１】
流出量調整手段９４は、たとえば掛け寝具の空気流出部に対応する端部に布を取付け、風量が大きなときは風圧により取付けられた布が持ち上がり空気流出部の開口面積が大きくなり、風量が少ないときは取付けた布が垂れ下がり、空気流出部の開口面積が少なくなり結果として寝具内の陽圧度を保ち上部平行風流通空間を確保する。空気流出部が首周りに限定されているのは空気の流出量を小さくし、これにより掛け寝具内の陽圧度を高め、上部平行風流通空間が形成されやすくするためである。
【００３２】
本実施形態によれば、上記のように構成されているので、上部ファン（上部送風手段）１０２により、上部平行風流通空間４２に外気が流入し、空気流出通部９３から掛け寝具の外部に排出される。この場合掛け寝具内は陽圧になるため、掛けシート８は膨らみ自動的に上部空気流通空間を形成する。また上部ファンの近傍である足元の掛けシートが特に大きく膨らみ、空気だまりを形成することにより足元が広々とし、足元の窮屈さが解消される。これ以外の作用・効果は第一実施形態のものと同様である。
【００３３】
（第三実施形態）
図８（ａ）は本発明の第三実施形態である空気流通式寝具の概略平面図、（ｂ）はそのＥ−Ｅ′矢視概略断面図である。本実施形態の空気流通式寝具１ｅが第一実施形態と異なる点は、敷き寝具２に設けられた下部スペーサ５２の上には空気が漏れにくく、透湿性を有する上シート７が設けられ、送風管１９は下シート６と上シート７によりくるまれている点、掛け寝具３専用の上部ファン（上部送風手段）１０２が設けられている点、上部ファンは掛け寝具３の内部に外気を送り込むように回転する点である。その他の点は、第一実施形態のものと同様である。また、本実施形態の敷き寝具２は国際公開番号ＷＯ２００７／１２２８１６号公報に開示されている空気流通式寝具とほぼ同様の構造であるので、その詳細な説明は省略する。
【００３４】
本実施形態は、上記のように構成されているので、送風管１９に取り付けられた下部ファン１０１が敷き寝具内に外気を送り込むように回転すると、外気が下部スペーサ５２で構成された下部平行風送風空間４１に流入するため、上シート７に接した体の部位から出た汗は蒸発して透湿性を有する上シート７を介し下部平行風送風空間に移行し、下部空気流通部９１から寝具の外部に放出される。敷き寝具の構造及び作用等の詳細は上述した国際公開番号ＷＯ２００７／１２２８１６号公報を参照されたし。
【００３５】
本実施形態は、上記のように構成されているので上部ファン（上部送風手段）１０２により、上部空気流通空間４２に外気が流入し、上部空気流通部９２から掛け寝具の外部に排出される。この場合、掛け寝具内は陽圧になるため、掛けシート８は膨らみ上部空気流通空間を形成しやすくなる。このため上部スペーサを設ける部位は第一実施形態と比べ少なくてよい。また上部ファンの近傍である足元の掛けシートが特に大きく膨らみ、空気だまりを形成することにより足元が広々とし、足元の窮屈さが解消される。ただし膨らみすぎると体から離れたところに体の冷却に寄与しない空気が多く流れ、結果として体付近の風量が減少するため冷却効果が少なくなる。これを防止するためには第一実施形態に比べより強力な密着手段が必要とされる。このため本実施形態では、重い生地を掛けシートの左右の側部に取り付けること（密着手段１７１）により、体から離れた部分に不要空間が発生するのを防止している。
【００３６】
本実施形態によれば、敷き寝具の下部空気流通空間に流通する風量と、掛け寝具の上部空気流通空間に流通する風量は別々に制御することもできる。上述した作用・効果以外の作用・効果は、第一実施形態のものと同様である。
【００３７】
尚、本実施形態では下部空気流通空間には下部ファンから外気が流入し、下部空気流通部を介して外部に排出されているが、下部ファンの回転方向を逆にして下部空気流通空間に流通する外気の方向を逆にしてもよい。同様に本実施形態では上部空気流通空間には上部ファンから外気が流入するように構成されているが、上部ファンの回転方向を逆にして上部空気流通空間に流通する外気の方向を逆にしてもよい。
【００３８】
また敷き寝具は、敷き寝具と接した体の部位から出た汗を上シート７を介して蒸発させ体を冷却するのであり、体に沿って直接外気が流通するのではないので、必ずしも体の身長方向に平行な風を流通させる必要はなく、体の横幅方向や斜めの方向に流通させてもよい。
【００３９】
（第三実施形態の変形例）
図９（ｃ）は第三実施形態の変形例である空気流通式寝具を説明するための足元部の概略部分断面図である。第三実施形態では敷き寝具には敷き寝具専用の下部ファン１０１を、掛け寝具には掛け寝具専用の上部ファン（上部送風手段）１０２を設けていたが、本変形例の空気流通式寝具１ｆでは上部ファンは設けずに、下部ファン１０１により送風された外気の一部を掛け寝具内に導入するための送風量分配手段３３を設けることにより、上部ファンを省略している。その他の点は第三実施形態のものと同様であるので、その詳細な説明は省略する。送風量分配手段３３としては、送風管近辺の上シート７に適当な空気透過性を有したシートを用いるようにしてもよいし、或いは適当な大きさの適当数の空気流通孔などを設けるようにしてもよい。本変形例は、送風量分配手段３３を設けたことにより、下部ファンにより送風される送風量を敷き寝具内に送風する量と掛け寝具内に送風する量とに分配することができる。なお、送風量分配手段は上記のものに限定されるものでなく、たとえば送風管をプラスチックで作成し、プラスチック管に多数の孔を開けて、その一部の孔から直に掛け寝具内に外気を送風してもよいし、また、送風管の片側の端に下部ファン、もう一方の端に上部ファンを設けるようにしてもよい。
【００４０】
（第四実施形態）
図１０（ａ）は本発明の第四実施形態である空気流通式寝具の概略正面図、（ｂ）は敷きマットの上に人が寝て、本実施形態である空気流通式寝具（掛け寝具）を掛けたときの概略側面図である。本実施形態の空気流通式寝具１ｇは掛け寝具３のみ空調化されている。本実施形態の空気流通式寝具が第一実施形態のものと異なる点は、掛け寝具のみ空調化されている点、ファン１０が掛けシート８の中央部の両側端部に取り付けられている点、人が寝たときに掛け寝具３の頭部側と足部側に対応する側の開口部を空気流通部９としている点、掛けシートの幅が幅広で、人が寝たときに頭部と足首部が露出する位に長さが短い点、掛け寝具が敷き寝具に縫合されてない点、上部スペーサは短冊状に小さく分断された立体織布が部分的に要所要所に取り付けられている点、である。その他の点は、第一実施形態のものと同様である。
【００４１】
上部スペーサ５１は図１０（ａ）に示すように短冊状に小さく分断された立体織布が要所要所に部分的に取り付けられている。部分的に取付けられた隣り合う上部スペーサの間隔を適切な値として、メッシュ状素材３２を配すことにより上部スペーサが部分的に取り付けられていることによる違和感を緩和することができ、さらに隣り合う上部スペーサ間の空間も平行風流通空間としての機能を果たす。さらに上部スペーサが取付けられていない部分では掛けシートが自在に変形するので体の表面に沿いやすくなり不要空間４３を小さくすることができる。
【００４２】
本実施形態によれば、上記のように構成したことにより、掛け寝具３内の空気を外部に排出する方向にファン１０を回転させると掛け寝具３内が陰圧となり、掛けシートの側部付近、特に敷きマット３４の側端部分で掛けシート８が敷きマット３４に密着し、空気漏れ防止手段１６０として機能する。したがって上部スペーサにより構成されている平行風流通空間に頭部側と足部側とに設けられた空気流通部９から外気が流入し、体と略平行に体の上面と側面に沿って外気が流通し、ファンにより外部に排出される。無論空気漏れ防止手段は重りを用いたり、他の漏れ防止手段と併用したりしてもよい。
【００４３】
尚、本発明は上記の実施形態に限定されるものではなく、その要旨の範囲内において種々の変形が可能である。
【００４４】
例えば、第一実施形態、第二実施形態及び第三実施形態ではでは足部側にファンを設け、頭部側が空気流通部になっているが、ファンと空気流通部との関係はこれに限るものでなく第四実施形態のように中央部にファンを設け、頭部側と足部側の両側に空気流通部を設けてもよい。反対に第四実施形態では中央部にファンを設け頭部側と足部側の両側に空気流通部を設けたが、足部側にファンを設け、空気流通部を頭部側にのみ設けてもよい。
【００４５】
また、第一実施形態、第三実施形態では空気漏れ防止手段として敷き寝具と掛け寝具との端面を縫合することによりなされていたが、空気漏れ防止手段はこれに限らず、例えば掛けシートを延長して敷き寝具をくるみこむようにしてもよい。
【００４６】
また、ファンボックスを使用した場合は、ファンボックスの内部または外部に冷風、温風発生装置を設けることにより外気の代わりに冷風、温風を送風することもできる。また、敷き寝具の部分をベッドのマットなどに組み込み、ベッドと一体化してもよい。
【００４７】
また、上部スペーサとして立体織布を用いる場合は空気抵抗を少なくするために縦糸の数は１平方センチメートルあたり２０本以下が望ましい。このための方法として１平方センチあたり２０本以上の立体織布をところどころに取付け立体織布間の空間を大きくし、平均値として２０本位以下にしても良い。
【００４８】
また、第二実施形態については、第三実施形態の変形例と同様の構成にして、上部ファンを省略するようにしてもよい。
【産業上の利用可能性】
【００４９】
以上説明したように、本発明の空気流通式寝具は、平行風流通空間を設け、この平行風流通空間に送風手段により外気を流通させることにより、ほぼ体全体に、体に沿って体と略平行に外気を流通させることができ、したがって外気温が高くても快適に寝ることができる就寝用の寝具として利用することができる。
【符号の説明】
【００５０】
１ａ〜１ｇ  空気流通式寝具
２  敷き寝具
３  掛け寝具
４  平行風流通空間
４１  下部平行風流通空間
４２  上部平行風流通空間
４３  不要空間
５  スペーサ
５１  上部スペーサ
５２  下部スペーサ
５２１  凸部
５２２  連結部
６  下シート
７  上シート
８  掛けシート
９  空気流通部
９１  下部空気流通部
９２  上部空気流通部
９３  空気流出部
９４  流通量調整手段
１０  ファン
１０１  下部ファン
１０２  上部ファン
１５  制御部
１６、１６０  空気漏れ防止手段
１７、１７１  密着手段
１８  開閉手段（ファスナー）
１９  送風管
２０  流出防止手段
１５５  電源プラグ
３１  クッション材
３２  メッシュ状素材
３３  送風量分配手段
３４  敷きマット
【図１】
2011245046.tif 000003
【図２】
2011245046.tif 000004
【図３】
2011245046.tif 000005
【図４】
2011245046.tif 000006
【図５】
2011245046.tif 000007
【図６】
2011245046.tif 000008
【図７】
2011245046.tif 000009
【図８】
2011245046.tif 000010
【図９】
2011245046.tif 000011
【図１０】
2011245046.tif 000012
【図１１】
2011245046.tif 000013
【図１２】
2011245046.tif 000014